(57)【特許請求の範囲】
【請求項１】
二本の線材が略平行に延びその一端同士が連結されてなるとともに他端間の幅を拡開可能で弾性を有する基部と、
治療対象の歯冠の側面に当接する当接面が互いに向かい合うように前記二本の線材のそれぞれに取付けられた一対のビークと、
前記線材の他端側を治療対象外の歯冠に対して固定可能な係合部を備え、
孔部が形成され前記治療対象の歯冠が前記孔部から露出するように被せられるラバーダムシートを、前記基部が前記ラバーダムシートの表側に露出したまま前記治療対象の歯冠を前記一対のビークで挟持して固定可能としたもので、
前記係合部は一方の前記線材の他端から延設されてなり、他方の前記線材の他端側へ引っ掛け可能なフックを有することを特徴とするラバーダムクランプ。
【請求項２】
前記ビークが取付けられる線材の部位を断面略矩形状としたことを特徴とする請求項１に記載のラバーダムクランプ。
【発明の詳細な説明】
【技術分野】
【０００１】
本発明は、歯冠を一対のビークで挟持することでラバーダムシートを固定するラバーダムクランプに関するものである。
【背景技術】
【０００２】
歯の治療は広義の外科的処置であるので、多数の菌が存在する唾液が治療中の患部に触れることは当然好ましくない。また、患部に唾液が付着すると治療の作業効率も低下してしまう。
さらに、治療中に患者の舌が動いてしまい、治療の妨げになることも多い。
【０００３】
そこで、治療対象の歯冠を口腔内の他の部位と隔絶するためにラバーダムシートが用いられている。
ラバーダムシートは、治療対象の歯冠がラバーダムシートの表側に露出し、口腔内の他の部位（舌や歯茎、他の歯冠）はラバーダムシートの裏側となるように、歯冠に被せられる。
そして、このラバーダムシートを固定するために、図９に示すようなラバーダムクランプが開示されている（例えば、特許文献１参照）。
【０００４】
このラバーダムクランプ１０は、略Ｃ字状のスプリング１１と、歯冠側面に当接するビーク１３を有するフランジ１２とを備える。
ビーク１３は一対のフランジ１２の内側端部のことであり、ビーク１３の肉厚はフランジ１２の肉厚に等しい。
また、それぞれのビーク１３は円弧状となっており、一対のビーク１３が向かい合うことによって略円形が形成される。
そして、歯冠が露出するようにラバーダムシートが被せられ、露出した歯冠の下端（歯茎に近い部分）を一対のビーク１３が挟持することでラバーダムシートを固定するものである。
【先行技術文献】
【特許文献】
【０００５】
【特許文献１】特公昭６３−１３７０２号公報
【発明の概要】
【発明が解決しようとする課題】
【０００６】
しかしながら、このラバーダムクランプ１０は歯冠の下端をビーク１３が挟持できるようにビーク１３の歯冠側面に当接する部分が線状となっているので、装着時には挟持する圧力が歯冠の下端に集中して掛かってしまう。
したがって、ラバーダムクランプ１０の装着時に歯冠下端や歯茎に痛みを感じる患者も存在しており、必ずしも快適な付け心地であるとはいえなかった。
【０００７】
また、ラバーダムシート越しに患者の舌がフランジ１２やビーク１３に当たる等、ラバーダムクランプ１０に外力が加わると、ラバーダムクランプ１０ががたついたり、ずれたりしてしまう。
このような装着時のラバーダムクランプ１０のがたつきやずれは、例えば根管治療においては、根管内へ細菌が侵入する原因となるので、治療の成功率が著しく低下してしまい、好ましくない。
一方、ラバーダムクランプ１０ががたつかないようにビーク１３によりさらに強く挟持すると、患者の不快感が増してしまう。
【０００８】
そこで、本発明の目的とするところは、装着時の不快感が少なく、かつがたつき難いラバーダムクランプを提供することにある。
【課題を解決するための手段】
【０００９】
上記の目的を達成するために、本発明の請求項１に記載のラバーダムクランプ（３０）は、二本の線材が略平行に延びその一端（３１ａ）同士が連結されてなるとともに他端（３１ｂ）間の幅を拡開可能で弾性を有する基部（３１）と、治療対象の歯冠（Ｔ）の側面に当接する当接面が互いに向かい合うように前記二本の線材のそれぞれに取付けられた一対のビーク（３３）と、前記線材の他端（３１ｂ）側を治療対象外の歯冠（Ｔ）に対して固定可能な係合部（３４）を備え、孔部（Ｈ）が形成され前記治療対象の歯冠（Ｔ）が前記孔部（Ｈ）から露出するように被せられるラバーダムシート（Ｓ）を、前記基部（３１）が前記ラバーダムシート（Ｓ）の表側に露出したまま前記治療対象の歯冠（Ｔ）を前記一対のビーク（３３）で挟持して固定可能としたもので、前記係合部（３４）は一方の前記線材の他端（３１ｂ）から延設されてなり、他方の前記線材の他端（３１ｂ）側へ引っ掛け可能なフックを有することを特徴とする。
【００１３】
また、請求項１に記載のラバーダムクランプ（３０）は、前記ビーク（３３）が取付けられる線材の部位を断面略矩形状としたことを特徴とする。
【００１４】
ここで、上記括弧内の記号は、図面および後述する発明を実施するための形態に掲載された対応要素または対応事項を示す。
【発明の効果】
【００１５】
本発明の請求項１に記載のラバーダムクランプによれば、二本の線材が略平行に延びその一端同士が連結されてなるとともに他端間の幅を拡開可能で弾性を有する基部と、治療対象の歯冠の側面に当接する当接面が互いに向かい合うように二本の線材のそれぞれに取付けられた一対のビークと、線材の他端側を治療対象外の歯冠に対して固定可能な係合部を備えるので、歯冠に対するビークの固定が一対のビーク及び係合部による三点支持になる。よって、従来例のように一対のビークで挟持するのみの固定よりも強固に固定することができるので、がたつき難い。しかも、ビークによる挟持圧力を上げる必要もないので、患者の不快感も少ない。
特に、係合部は一方の線材の他端から延設されてなり、他方の線材の他端側へ引っ掛け可能なフックを有するので、係合部が基部と別部材である場合よりも構成が単純で、しかも簡単に係合部を固定することができる。
【００１９】
また、請求項２に記載のラバーダムクランプによれば、請求項１に記載の発明の作用効果に加え、ビークが取付けられる線材の部位を断面略矩形状としたので、ビークを線材に対して強固に取付けることができ、例えばビークが線材を軸に回転してしまうことも起こり難い。
【００２０】
なお、本発明のラバーダムクランプのように、二本の線材のそれぞれに取付けられた一対のビークと、線材の他端側を固定可能な係合部を備える点は、上述した特許文献１には全く記載されていない。
【図面の簡単な説明】
【００２１】
【図１】本発明の第一実施形態に係るラバーダムクランプを示す平面図である。
【図２】本発明の第一実施形態に係るラバーダムクランプを示す斜視図である。
【図３】図２に示すラバーダムクランプを歯冠に装着した状態を示す斜視図である。
【図４】本発明の第二実施形態に係るラバーダムクランプを示す平面図である。
【図５】本発明の第二実施形態に係るラバーダムクランプを歯冠に装着した状態を示す斜視図である。
【図６】本発明の他の実施形態を示すラバーダムクランプを示す斜視図である。
【図７】本発明のさらに他の実施形態を示すラバーダムクランプを示す斜視図である。
【図８】本発明のさらに他の実施形態を示すラバーダムクランプを示す平面図である。
【図９】従来例に係るラバーダムクランプを示す平面図である。
【発明を実施するための形態】
【００２２】
（第一実施形態）
図１乃至図３を参照して、本発明の第一実施形態に係るラバーダムクランプ３０を説明する。
このラバーダムクランプ３０は、基部３１と、ビーク３３と、係合部３４と、を備え、治療対象の歯冠Ｔを口腔内の他の部位と隔絶するために使用されるラバーダムシートＳを固定するものである。
【００２３】
基部３１は、弾性を有する金属製の二本の線材が略平行に延び、その一端３１ａ同士が連結されてなる。その一端３１ａ同士は連結された箇所で円形となっている。また、線材の断面形状は略矩形状である。
そして他端３１ｂ間の幅は、一端３１ａ側を基準に拡開可能となっている。
ここで、基部３１は弾性を有するので、外力を加えて基部３１の他端３１ｂ側を拡開してもその外力を取り去ると再び二本の線材が略平行に戻ろうとする。この戻ろうとする復元力がビーク３３の挟持力となる。
なお、基部３１の実際の形成方法は、一本の長い線材の両端を摘まみ、一方を他方に対して一回転半回転させることで、上述のように、捻るとともに折り返された基部３１を形成する。
【００２４】
ビーク３３は、それ一対で治療対象の歯冠Ｔの側面を挟持してラバーダムシートＳを固定するものである。治療対象の歯冠Ｔの側面に当接する当接面はそれぞれ平面視略円弧状で、その当接面が互いに向かい合うように、二本の線材の一端３１ａ側にそれぞれビーク３３が取付けられている。
ビーク３３の当接面は、患者の歯冠Ｔの形状に合わせてカスタマイズして形成されており、一対のビーク３３の一方側と他方側は互いに異なる形状となっている。
また、一人の患者用のラバーダムクランプ３０であっても装着する歯冠Ｔが異なれば、ビーク３３の形状もそれぞれ異なるように形成される。
このカスタマイズされたビーク３３の成形方法としては、ロストワックス法によるものや、光重合レジン、即時重合レジンで形成するもの等があり、特に限定されるものではない。
ビーク３３の肉厚は、治療対象の歯冠Ｔの高さ（歯茎から露出した高さ）と略等しく形成されている。
また、ビーク３３の当接面には基部３１は現れず、一対のビーク３３で歯冠Ｔを挟持したときにその歯冠Ｔに基部３１は当接しない。
【００２５】
係合部３４は、一方の線材の他端３１ｂから延設されてなり、先端には他方の線材の他端３１ｂ側へ引っ掛け可能なフックを有する。一方の線材から係合部３４は略垂直に延びる。
このフックを他端３１ｂ側へ引っ掛けるとともに係合部３４を治療対象外の歯冠Ｔに対して固定することで、線材の他端３１ｂ側をその歯冠Ｔに固定可能である。
このように、本実施形態においては基部３１と係合部３４は元々一本の線材からなり、その基部３１の折り曲げられた端部が係合部３４である。
【００２６】
次に、このようなラバーダムクランプ３０の使用方法について、図３を参照して説明する。
ここで同時に使用されるラバーダムシートＳには、治療対象の歯冠Ｔよりも若干大きい孔部Ｈが形成されている。
その孔部Ｈから治療対象の歯冠Ｔが露出するようにラバーダムシートＳが被せられる。
そして、そのラバーダムシートＳの上から、治療対象の歯冠Ｔを一対のビーク３３で挟持するとともに、治療対象外の歯冠Ｔに係合部３４を引っ掛ける。つまり、基部３１がラバーダムシートＳの表側に露出したまま、ラバーダムクランプ３０でラバーダムシートＳを押さえつけるように固定する。
【００２７】
以上のように構成され使用されるラバーダムクランプ３０によれば、二本の線材が略平行に延びその一端３１ａ同士が連結されてなるとともに他端３１ｂ間の幅を拡開可能で弾性を有する基部３１と、治療対象の歯冠Ｔの側面に当接する当接面が互いに向かい合うように二本の線材のそれぞれに取付けられた一対のビーク３３と、線材の他端３１ｂ側を治療対象外の歯冠Ｔに対して固定可能な係合部３４を備えるので、歯冠Ｔに対するビーク３３の固定が一対のビーク３３及び係合部３４による三点支持になる。よって、従来例のように一対のビーク３３で挟持するのみの固定よりも強固に固定することができるので、がたつき難い。しかも、ビーク３３による挟持圧力を上げる必要もないので、患者の不快感も少ない。
【００２８】
また、ビーク３３を線材の一端３１ａ側に取付けたので、ビーク３３と係合部３４が確実に離間する。よって、係合部３４に外力がはたらいてもビーク３３におけるずれの影響が少ない。
さらに、係合部３４は一方の線材の他端３１ｂから延設されてなり、他方の線材の他端３１ｂ側へ引っ掛け可能なフックを有するので、係合部３４が基部３１と別部材である場合よりも構成が単純で、しかも簡単に係合部３４を固定することができる。
また、ビーク３３が取付けられる線材の部位を断面略矩形状としたので、ビーク３３を線材に対して強固に取付けることができ、例えばビーク３３が線材を軸に回転してしまうことも起こり難い。
【００２９】
（第二実施形態）
次に図４と図５を参照して、本発明の第二実施形態に係るラバーダムクランプ３０を説明する。なお、第一実施形態と同一部分には同一符号を付した。
本実施形態の第一実施形態との違いは、耳部３５であり、その他の構成要素に関しては第一実施形態と同一である。
【００３０】
この耳部３５は、一対のビーク３３のそれぞれから外側に張り出して形成される。
ビーク３３と耳部３５は一体成形されてもよいし、ビーク３３に対して耳部３５が後付けであってもよい。
【００３１】
次に、このラバーダムクランプ３０の使用方法について説明する。
ここで使用されるラバーダムシートＳの孔部Ｈの直径は、治療対象の歯冠Ｔより大きく、かつ一方の耳部３５の外側端部から他方の耳部３５の外側端部までの距離よりは小さい。
【００３２】
そして、二つの耳部３５を孔部Ｈから挿入してラバーダムシートＳの裏側へ配置する。このとき、ビーク３３と基部３１はラバーダムシートＳの表側にある。
この状態でビーク３３によって治療対象の歯冠Ｔを挟持する。
最後に、耳部３５まわりのラバーダムシートＳを引っ張って耳部３５を孔部Ｈに通し、耳部３５をラバーダムシートＳの表側に配置する。これにより、二つの耳部３５によってラバーダムシートＳが歯茎側に押下される。
【００３３】
以上のように構成され使用されるラバーダムクランプ３０によれば、外側に張り出した耳部３５を一対のビーク３３にそれぞれ形成し、二つの耳部３５によってラバーダムシートＳを表側から押下可能としたので、ラバーダムシートＳをさらに強固に固定することができる。
また、ビーク３３で歯冠Ｔを挟持する前には耳部３５をラバーダムシートＳの裏側に配置しているので、ラバーダムクランプ３０とラバーダムシートＳの位置関係がずれない。
【００３４】
なお、第一、第二実施形態において、基部３１は二本の線材の一端３１ａ同士が連結されて円形となっていたが、これに限られるものではなく、図６に示すように一端３１ａ側が略Ｕ字状になっていてもよい。また、これらに限られるものではなく、一対のビーク３３が必要な挟持力を有するものであれば、二本の線材の一端３１ａ側の連結は他の方法・形状であってもよい。
【００３５】
また、係合部３４は一方の線材の他端３１ｂから延設されてなるとしたが、これに限られるものではなく、図７に示すように基部３１とは別部材の輪ゴム等であっても、線材の他端３１ｂ側を治療対象外の歯冠Ｔに対して固定可能であればよい。
【００３６】
また、ビーク３３を線材の一端３１ａ側に取付けたが、この位置に限られるものではない。
さらに、線材は断面略矩形状であるとしたが、ビーク３３が取付けられる線材の部位だけが断面略矩形状であればよい。また、線材に対してビーク３３を強固に取付け可能であれば、線材の断面形状はこれらに限られるものではない。
【００３７】
また、係合部３４を引っ掛ける歯冠Ｔの位置におけるラバーダムシートＳの部位に孔部Ｈを形成しておいて、係合部３４をその歯冠Ｔに直接引っ掛けるようにしてもよい。
また、図８に示すように一つのビーク３３を二部品として、基部３１に固定された部位から当接面を有する部位を着脱可能にしてもよい。このようにすることで、同じ患者の異なる歯冠にラバーダムクランプ３０を取付ける場合、ビーク３３の着脱式の当接面だけを交換するだけで済むので、経済的である。
また、ビーク３３の当接面の形状を、患者ごとにカスタマイズしてもよいし、量産品であってもよい。
【００３８】
また、図８に示すように、基部３１の線材の太さを太くしてもよい。
また、基部３１は金属製としたが、ビーク３３の挟持圧力を担保できればプラスチック等の他の材質であってもよい。
【符号の説明】
【００３９】
１０      ラバーダムクランプ
１１      スプリング
１２      フランジ
１３      ビーク
３０      ラバーダムクランプ
３１      基部
３１ａ    一端
３１ｂ    他端
３３      ビーク
３４      係合部
３５      耳部
Ｈ      孔部
Ｓ      ラバーダムシート
Ｔ      歯冠
【要約】
【課題】装着時の不快感が少なく、かつがたつき難いラバーダムクランプを提供する。
【解決手段】二本の線材が略平行に延びその一端３１ａ同士が連結されてなるとともに他端３１ｂ間の幅を拡開可能で弾性を有する基部３１と、治療対象の歯冠Ｔの側面に当接する当接面が互いに向かい合うように二本の線材のそれぞれに取付けられた一対のビーク３３と、線材の他端３１ｂ側を治療対象外の歯冠Ｔに対して固定可能な係合部３４を備え、孔部Ｈが形成され治療対象の歯冠Ｔが孔部Ｈから露出するように被せられるラバーダムシートＳを、基部３１がラバーダムシートＳの表側に露出したまま治療対象の歯冠Ｔを一対のビーク３３で挟持して固定可能とした。
【選択図】図３【図１】
0005525651.tif 000002
【図２】
0005525651.tif 000003
【図３】
0005525651.tif 000004
【図４】
0005525651.tif 000005
【図５】
0005525651.tif 000006
【図６】
0005525651.tif 000007
【図７】
0005525651.tif 000008
【図８】
0005525651.tif 000009
【図９】
0005525651.tif 000010